(57)【要約】【課題】ハードディスク上に記録された番組情報から、記録／再生装置毎の装置用途に対応した固有又は特有の情報を自動的に取り出すこと。【解決手段】番組用途情報３０２、３０４…と関連するデータ３０３を含む番組情報１０６を記録した番組情報記録部１０７と、番組情報記録部から番組情報を抽出する番組情報抽出部２０３と、番組再生部と、を備えた記録／再生装置であって、番組情報記録部１０７は記録／再生装置２０１に対して着脱自在であり、記録／再生装置はその使用する用途を記載した装置用途情報２０２を保持し、番組用途情報３０２、３０４…は装置用途情報２０２に対応する情報であり、装置用途情報と番組用途情報との一致を検索することによって、番組情報記録部１０７の装着される記録／再生装置２０１に固有の番組情報のみを番組情報記録部１０７から抽出して表示すること。【選択図】図３
2006101023.tif 000002
【特許請求の範囲】
【請求項１】
複数の番組用途情報とこれに関連する関連データを含む番組情報を記録した番組情報記録部と、前記番組情報記録部から番組情報を抽出する番組情報抽出部と、前記抽出された番組を再生表示する番組再生部と、を備えた記録／再生装置であって、
前記番組情報記録部は前記記録／再生装置に対して着脱自在であり、
前記記録／再生装置はその使用する用途を記載した装置用途情報を保持し、
前記番組用途情報は前記装置用途情報に対応する情報であり、
前記装置用途情報と前記番組用途情報との一致を検索することによって、前記番組情報記録部の装着される前記記録／再生装置に固有の番組情報のみを、前記番組情報記録部から抽出して表示する
ことを特徴とする記録／再生装置。
【請求項２】
複数の番組属性情報とこれに関連する関連データを含む番組情報を記録した番組情報記録部と、前記番組情報記録部から番組情報を抽出する番組情報抽出部と、前記抽出された番組を再生表示する番組再生部と、を備えた記録／再生装置であって、
前記番組情報記録部は前記記録／再生装置に対して着脱自在であり、
前記記録／再生装置はその使用者の属性を記録した属性情報を保持し、
前記番組属性情報は前記記録／再生装置の保持する属性情報に対応する情報であり、
前記属性情報と前記番組属性情報との一致を検索することによって、前記番組情報記録部の装着される前記記録／再生装置に固有の番組情報のみを、前記番組情報記録部から抽出して表示する
ことを特徴とする記録／再生装置。
【請求項３】
請求項１または２において、
前記番組情報記録部は、ハードディスク装置、メモリカード、または記録可能な光ディスク装置で構成されることを特徴とする記録／再生装置。
【請求項４】
請求項１または２において、
前記記録／再生装置は、携帯端末、カーナビゲーション装置、ＡＶコンポ装置、または調理器具などを適用例とするものであることを特徴とする記録／再生装置。
【請求項５】
請求項４において、
前記装置用途情報および前記番組用途情報は、携帯端末、カーナビゲーション装置、ＡＶコンポ装置、調理器具などを表す情報であり、
前記関連データは、各番組用途情報に属する画像、音声、文字情報で構成される番組用途データである
ことを特徴とする記録／再生装置。
【請求項６】
請求項１において、
前記記録／再生装置はその使用者の属性を記録した属性情報をも保持し、
前記番組情報記録部には、前記複数の番組用途情報に加えて、複数の番組属性情報とこれらに関連する関連データを含む番組情報が記録され、
前記装置用途情報と前記番組用途情報との一致、および前記属性情報と前記番組属性情報との一致を検索することによって、前記番組情報記録部の装着される前記記録／再生装置に固有の番組情報のみを、前記番組情報記録部から抽出して表示する
ことを特徴とする記録／再生装置。
【発明の詳細な説明】
【技術分野】
【０００１】
本発明は、複数の記録／再生装置間でハードディスク装置等の情報記録媒体を共有する場合において、各記録／再生装置の用途（例えば、携帯端末、カーナビ、ＡＶコンポなど）に固有又は特有な情報を取り出す技術に関する。
【背景技術】
【０００２】
従来、番組データ等を記録したハードディスクを複数の機器間で共有する方法に関して種々の提案がなされている。例えば、特許文献１には、携帯機器間でハードディスク装置を共有し、高精度にサーボの同期を実施し、高密度・高画質記録を可能とすることが開示されている。この特許文献１によると、ハードディスク装置をセットトップボックスに装着してビデオデータやこれに関連するデータを記録し、これらのデータの記録されたハードディスク装置をパソコン、撮像装置、ＰＤＡなどに装着して所要のデータを受け渡しできるように制御することが示されている。
【０００３】
また、特許文献２には、番組受信装置において、第一の記録媒体に記録した番組情報から、番組識別子により番組情報を取り出して第二の記録媒体に記録することにより、ユーザが容易に必要な番組情報を選択して携帯できることが開示されている。この特許文献２によると、番組識別子を介して番組と番組情報とが対応付けられていて、ユーザは番組情報を見て蓄積された番組の内容を確かめることができる旨が記載されている。さらに、特許文献３には、携帯用端末とホームサーバ間でハードディスクを共有し、録画予約情報を記録したエージェントデータを交換することにより効率的な録画予約を行えることが開示されている。
【特許文献１】特開２００1−２６８４９４号公報
【特許文献２】特開２００３−１６９２７８号公報
【特許文献３】特開２００３−３４８５０８号公報
【発明の開示】
【発明が解決しようとする課題】
【０００４】
しかしながら、上述した特許文献１〜３に開示されている従来技術は、複数の記録／再生装置間で番組情報を記録したハードディスクを共有することは開示されているが、使用目的が異なる複数の記録／再生装置間で、各記録／再生装置の用途に対応した特有又は固有の情報の取り出しに関しては、特に配慮がされていない。
【０００５】
例えば、旅行に関する番組をハードディスク上に録画したとしても、車を運転する際に、実際に番組で紹介された名所や店等の位置情報をカーナビに自動的に入力することは困難であった。そこで、一旦番組を再生し、ユーザがその場所を特定できる電話番号や住所等を取り出し、その情報をカーナビ上に再入力することにより初めて利用可能となるのであり、放送された情報を用途の異なる記録／再生装置で効率良く確実に共有することは従来技術では困難であった。この困難さの理由は、放送された番組情報から用途の異なる機器（例えば、携帯用端末、カーナビ、ＡＶコンポなど）にそれぞれ対応した情報の取り出し方が何等考慮されていなかったためである。
【０００６】
本発明の課題は、ハードディスク上に記録された番組情報から、装着された記録／再生装置毎の装置用途および／または使用者属性に対応した固有又は特有の情報を自動的に取り出して利用できるような記録／再生装置を提供することにある。
【課題を解決するための手段】
【０００７】
前記課題を解決するために、本発明は主として次のような構成を採用する。  
複数の番組用途情報とこれに関連する関連データを含む番組情報を記録した番組情報記録部と、前記番組情報記録部から番組情報を抽出する番組情報抽出部と、前記抽出された番組を再生表示する番組再生部と、を備えた記録／再生装置であって、
前記番組情報記録部は前記記録／再生装置に対して着脱自在であり、
前記記録／再生装置はその使用する用途を記載した装置用途情報を保持し、
前記番組用途情報は前記装置用途情報に対応する情報であり、
前記装置用途情報と前記番組用途情報との一致を検索することによって、前記番組情報記録部の装着される前記記録／再生装置に固有の番組情報のみを、前記番組情報記録部から抽出して表示する構成とする。
【０００８】
また、複数の番組属性情報とこれに関連する関連データを含む番組情報を記録した番組情報記録部と、前記番組情報記録部から番組情報を抽出する番組情報抽出部と、前記抽出された番組を再生表示する番組再生部と、を備えた記録／再生装置であって、
前記番組情報記録部は前記記録／再生装置に対して着脱自在であり、
前記記録／再生装置はその使用者の属性を記録した属性情報を保持し、
前記番組属性情報は前記記録／再生装置の保持する属性情報に対応する情報であり、
前記属性情報と前記番組属性情報との一致を検索することによって、前記番組情報記録部の装着される前記記録／再生装置に固有の番組情報のみを、前記番組情報記録部から抽出して表示する構成とする。
【発明の効果】
【０００９】
本発明によれば、ユーザは番組情報を記録したハードディスクをカーナビ等の記録／再生装置に装着した際に、装置用途および／または使用者属性に対応した情報を自動的に取り出して記録／再生装置上で容易に活用できる。
【００１０】
また、ハードディスクなどを装着した記録／再生装置に必要な情報のみが自動的に抽出されるため、必要な番組情報を正確に、かつ効率的に活用でき、ユーザの利便性を高めることができる。
【発明を実施するための最良の形態】
【００１１】
本発明の実施形態に係る記録／再生装置について、図１〜図４を参照しながら以下詳細に説明する。図１は放送番組を記録再生する番組記録再生装置の全体構成を示すブロック図である。図２は本発明の実施形態に係る記録／再生装置の構成を示すブロック図である。図３は本実施形態の記録／再生装置に装着された情報記録媒体に記録された番組情報の構成例を示す図である。図４は本実施形態における番組情報の検索手順を示すフローチャートである。ここで、本実施形態に係る記録／再生装置は、例えば、携帯端末、カーナビゲーション装置、ＡＶコンポ装置、調理器具などを対象とし、番組情報を記録した番組情報記録部（例えば、ハードディスク、メモリーカード、光ディスクなど）を装脱自在とし、この番組情報記録部の記録内容を再生したり記録したりするもの（記録及び／又は再生）である。
【００１２】
図１は本実施形態に係る記録／再生装置に装脱されるハードディスクなどに番組情報を記録及び再生するための番組記録再生装置を示し、図１において、１１０は番組情報の番組記録再生装置、１０６は番組の用途、ジャンル、番組データ等を含む番組情報（番組情報は、図３に示す用途情報や図９に示す属性情報の他に、画像データなども含む情報）、１０１は番組情報１０６を送出する放送局、１０２は放送局１０１からの放送電波（図示せず）を受信するアンテナ、１０４はインターネットにより通信を可能にするインターネット網、１０３はインターネット網１０４により番組情報１０６の通信を行なう放送サーバ、１０５は放送局１０１または放送サーバ１０３から送出された番組情報１０６を受信する番組受信部、１０７は番組情報１０６を記録する番組情報記録部、１０８は番組情報記録部に接続して番組情報１０６を取り出す番組情報検出部、１０９は番組情報検出部で取り出した番組情報１０６を再生する番組再生部、をそれぞれ表す。
【００１３】
ここで、番組記録再生装置１１０は、番組受信部１０５で受信した番組情報１０６を番組情報記録部１０７に記録し、番組情報検出部１０８で取り出すことにより番組再生部１０９で再生する。
【００１４】
図２は本発明の実施形態に係る記録／再生装置の一構成例である。なお、図２において、図１と同一構成要素のものには同一番号を付記する。図２において、２０１は番組情報記録部１０７を矢印ａ方向に装着可能に保持する記録／再生装置、２０２は本実施形態の記録／再生装置の使用する用途を記載した装置用途情報（例えば、携帯端末、カーナビ、ＡＶコンポ、調理器具という情報）、２０３は番組情報記録部１０７に記録した番組情報１０６から装置用途情報２０２に対応した情報を取り出す番組情報抽出部、２０４は番組情報抽出部２０３で抽出した番組情報を再生する番組再生部である。
【００１５】
また、本実施形態に係る記録／再生装置２０１に対して、番組情報記録部１０７（例えば、リムーバブルなハードディスク、メモリーカードなど）が装着されると、番組情報抽出部２０３が装置用途情報２０２に対応する番組情報１０６を検索し、記録／再生装置の用途に対応した情報を取り出して番組再生部２０４に表示する。この用途対応の情報取り出しについての詳細は後述する。
【００１６】
次に、図３を用いて番組情報の構成例を説明する。なお、図３において、図２と同一の構成要素には同一番号を付記する。３０２は番組情報１０６内で特定の用途に関する情報であることを明示する番組用途情報（３０２，３０４，３０６，３０８、例えば、携帯端末、カーナビなどと云う情報）、３０３は番組用途情報３０２に付随する画像・音声・文字情報等で構成される番組用途についてのデータ（３０３，３０５，３０７，３０９）、３１０は番組情報抽出部２０３内で動作し、用途情報２０２に対応して必要な番組用途情報３０２を検索する用途情報抽出プログラムである。ここで、情報記録媒体１０７に記録された番組情報１０６、特に番組用途情報３０２，３０４，３０６，３０８は、図１に示す番組記録再生装置１１０において放送局１０１又は放送サーバ１０３から送出された信号によって記録されるものである。特に、デジタル放送では、番組の画像データに加えて当該番組の用途情報をも個別に送出されるのである。また、当該番組情報を放送だけでなく、情報記録媒体１０７に記録した状態で販売したり、店頭で使用者が料金を支払い、情報記録媒体１０７に所望の番組情報を記録するなどのシステムでも配布可能である。
【００１７】
番組情報記録部１０７を記録／再生装置２０１（番組情報抽出部２０３は記録／再生装置の一部）へ装着したことに伴い、用途情報抽出プログラム３１０が起動され、装置用途情報２０２を取り込み、次に、装置用途情報２０２に対応した番組用途情報を検索し（図３の図示例では番組用途情報３０４（例えば、「カーナビ」という情報）、図３の点線矢印を参照）、その番組用途データ（図３の図示例ではデータ３０５）を抽出する。
【００１８】
次に、図４を用いて本発明の番組情報の検索フローを説明する。まず、記録／再生装置（図示せず）に番組情報の記録された番組情報記録部１０７（図示せず）が装着されたことを検知し（Ｓ４０１）、記録／再生装置内に保持された装置用途情報２０２を読み込む（Ｓ４０２）。次に、番組情報記録部１０７内の番組情報を読み込み（Ｓ４０３）、番組用途情報３０２，３０４，３０６，３０８（図示せず）が記録／再生装置の装置用途情報２０２に一致しているか否かを判定する（Ｓ４０４）。
【００１９】
一致していない場合は次の番組用途情報３０２，３０４，３０６，３０８を読み込む。番組用途情報（３０２，３０４，３０６，３０８のいずれか１つ）が装置用途情報２０２と一致した場合は番組用途データ（３０３，３０５，３０７，３０９のいずれか１つ）を読み込む（Ｓ４０６）。さらに、番組用途データから関連付けられた番組情報や画像を表示し（Ｓ４０７）、最終的なユーザの要求するデータを表示する（Ｓ４０８）。このように、図1、図２、図３、図４に示す構成により、番組情報記録部１０７を装着した記録／再生装置（例えば、携帯端末、カーナビなど）の用途に対応して、番組情報に含まれる番組用途情報を自動的に抽出して、必要なデータを表示する（ハードディスクの装着された記録／再生装置の用途（当該記録／再生装置がカーナビか携帯端末かなど）に基づいた固有又は特有の情報を取り出してデータ表示する）ことが可能となる。
【００２０】
次に、図５を参照しながら本発明の実施形態に係る記録／再生装置の適用例が携帯端末である場合について説明する。図５は本実施形態に係る記録／再生装置の適用例である携帯端末の具体的構成を示す図である。なお、図５で前図と同一の構成要素には同一番号を付記する。
【００２１】
図５において、５０１は番組情報記録部１０７を脱着可能に保持する携帯端末、５０３は携帯端末向けの番組用途情報である携帯端末用情報、５０４は携帯端末用データとしての携帯サイトＵＲＬ、５０５は問い合わせメールアドレス、５０６は携帯用アプリケーション、５０７は低解像度画像データアドレス情報、をそれぞれ表す。
【００２２】
番組情報５０２を受信する番組記録再生装置１１０によって記録された番組情報記録部１０７が携帯端末５０１に装着されると、携帯端末５０１の装置用途情報２０２（図示せず）に対応して携帯端末用ジャンルである携帯端末用情報５０３（番組用途情報の１つ）が検索され（図４に示す手順にしたがって）、それに付随する携帯端末用データとしての携帯サイトＵＲＬ５０４、問い合わせメールアドレス５０５、携帯用アプリケーション５０６、低解像度画像データアドレス情報５０７が携帯端末５０１に表示され、ユーザが容易に携帯端末用情報を活用することが可能となる。また、図５に示すデータ５０４〜５０７のいずれかを選択すると、それに対応する具体的データが携帯端末に表示されるようなデータの階層構造を形成してもよい。
【００２３】
図６は本実施形態に係る記録／再生装置の適用例であるカーナビゲーション装置（カーナビ）の具体的構成を示す図である。なお、前図と同一の構成要素は同一番号を付記する。図６において、６０１は番組情報記録部１０７を脱着可能に保持するカーナビゲーション装置、６０３はカーナビゲーション向けの番組用途情報であるカーナビ用情報、６０４は目的地位置情報、６０５は店、名所等の案内情報、６０６は地図更新データ、６０７はイベント情報、をそれぞれ表す。
【００２４】
記録再生装置１１０により記録された番組情報記録部１０７がカーナビゲーション装置６０１に装着されると、カーナビ６０１の装置用途情報２０２（図示せず）によりカーナビ用ジャンルであるカーナビ用情報６０３が検索され、このカーナビ用情報に付随する、目的地位置情報６０４、店、名所等の案内情報６０５、地図更新データ６０６、イベント情報６０７がカーナビゲーション装置６０１に表示され、ユーザが容易にカーナビ用情報を活用できる。
【００２５】
図７は本実施形態に係る記録／再生装置の適用例であるＡＶコンポ装置（ＡＶコンポ）の具体的構成を示す図である。なお、前図と同一の構成要素は同一番号を付記する。図７において、７０１は番組情報記録部１０７を脱着可能に保持するＡＶコンポ装置、７０３はＡＶコンポ向けの番組用途情報であるＡＶコンポ用情報、７０４は演奏家等の画像データ、７０５は楽曲等の音楽データ、７０６は演奏家のコンサートのチケット情報、購入先ＵＲＬ、７０７は演奏者自身のプロフィール等の情報、をそれぞれ表す。
【００２６】
記録再生装置１１０により記録された番組情報記録部１０７がＡＶコンポ装置７０１に装着されると、ＡＶコンポ７０１の装置用途情報２０２（図示せず）によりＡＶコンポ用情報７０３が検索され、このＡＶコンポ用情報に付随する、演奏家等の画像データ７０４、楽曲等の音楽データ７０５、演奏家のコンサートのチケット情報、購入先ＵＲＬ７０６、演奏者自身のプロフィール等の情報７０７がＡＶコンポ装置７０１に表示または演奏可能となり、ユーザが容易にＡＶコンポ用情報を活用できる。
【００２７】
なお、以上説明した適用例以外にも、電子レンジ、冷蔵庫、電磁調理器のような調理装置において、情報表示部ハードディスク等のメディアを装着可能とすることにより、料理番組情報から調理器具の用途情報として抽出し、例えば料理のレシピや、店情報、食材の通販情報等の活用も可能である。
【００２８】
図８は、本実施形態に係る記録／再生装置の属性情報（装置使用者の属性情報、例えば、若年層向け情報、中高年向け情報、主婦向け情報など）を利用して番組情報検索を行う記録／再生装置の構成例を示す図である。なお、前図と同一の構成要素は同一番号を付記する。図８において、８０１は記録／再生装置８０２の属性を示す属性情報、８０３は番組情報記録部の番組情報から属性情報８０１に対応する情報を抽出する番組属性情報抽出部、をそれぞれ表す。
【００２９】
図９は本実施形態に係る記録／再生装置の属性情報に関する番組情報の構成例を示す図である。図９において、９０２は若者向け属性情報であることを示す若年層向け情報、９０５はその付属データとしての音楽番組等の画像データ、９０６はパスワードにより解除可能な音楽データ、９０７はチケット情報、９０３は中高年向け属性情報を示す中高年向け情報、９０８はぞの付属データとしてのパスワード付の画像データ、９０９はギャンブル関連情報、９１０は食品紹介、成人病の予防法等の健康管理情報、９０４は主婦向け属性情報を示す主婦向け情報、９１１はその付属データであるドラマ番組等の画像データ、９１２は買物・バーゲン情報、９１３は献立情報、をそれぞれ表す。
【００３０】
図８と図９の構成例によると、本実施形態に係る記録／再生装置８０２は、装置用途情報２０２の他に、属性情報８０１を備えており、どちらの情報を使用するかはユーザの任意の選択が可能となるように構成しておく。記録／再生装置の装置用途情報２０２を利用する場合は、図１〜図４に関する上述した説明の通りであり、また、記録／再生装置の属性情報８０１を利用する場合には装置用途情報２０２に代えて属性情報８０１を選択する。そして、この記録／再生装置が主婦向け情報として設定されていれば（当該記録／再生装置は主として主婦が利用するものであれば、属性情報８０１は「主婦向け情報」として設定されている）、この属性情報としての主婦向け情報が図９に示す番組情報の中から検索され一致すれば、番組情報記録部１０７の主婦向け情報に関連するデータ９１１〜９１３が表示されることとなり、主婦にとって有効な情報が容易に活用できる。
【００３１】
さらに、装置用途情報２０２と属性情報８０１とを組み合わせて、より適切な有効情報を本実施形態は提供することができる。すなわち、装置用途情報２０２によって本実施形態に係る記録／再生装置が、例えば携帯端末かカーナビかＡＶコンポかなどの用途識別を行って、この用途に適したデータを表示可能とするとともに、属性情報８０１（若年向け、中高年向け、または主婦向け情報など）をも利用して（装置用途情報とのアンドを取って）、一層適切なデータを表示することができる。
【００３２】
以上説明したように、本発明の主たる特徴は、ハードディスクなどのリムーバブルな情報記録媒体に記録された番組情報（画像データを含む）内に複数の用途情報を保持しておき、この情報記録媒体が装着される記録／再生装置（携帯端末、カーナビなど）側に保持した装置用途情報に対応した前記情報記録媒体内の番組用途情報を検索し、この番組用途情報に関連する画像データを取り出すことにより、ハードディスクなどを装着した記録／再生装置で適切且つ容易に画像データを活用することが可能となる。さらに、この装置用途情報に代えて、または加えて、記録／再生装置の属性情報（装置使用者の属性情報、例えば、若年層向け情報、中高年向け情報、主婦向け情報など）を利用して情報記録媒体の番組情報を効率的に活用することができる。
【図面の簡単な説明】
【００３３】
【図１】放送番組を記録再生する番組記録再生装置の全体構成を示すブロック図である。
【図２】本発明の実施形態に係る記録／再生装置（例えば、携帯端末、カーナビなど）の構成を示すブロック図である。
【図３】本実施形態の記録／再生装置に装着された情報記録媒体に記録された番組情報の構成例を示す図である。
【図４】本実施形態における番組情報の検索手順を示すフローチャートである。
【図５】本実施形態に係る記録／再生装置の適用例である携帯端末の具体的構成を示す図である。
【図６】本実施形態に係る記録／再生装置の適用例であるカーナビゲーション装置（カーナビ）の具体的構成を示す図である。
【図７】本実施形態に係る記録／再生装置の適用例であるＡＶコンポ装置（ＡＶコンポ）の具体的構成を示す図である。
【図８】本実施形態に係る記録／再生装置の属性情報（装置使用者の属性情報、例えば、若年層向け情報、中高年向け情報、主婦向け情報など）を利用して番組情報の検索を行う記録／再生装置の構成例を示す図である。
【図９】本実施形態に係る記録／再生装置の属性情報に関する番組情報の構成例を示す図である。
【符号の説明】
【００３４】
１０５  番組受信部
１０６  番組情報
１０７  番組情報記録部（例えば、ハードディスク、メモリカード）
１０８  番組情報検出部
１０９  番組再生部
１１０  番組記録再生装置
２０１  記録／再生装置
２０２  装置用途情報
２０３  番組情報抽出部
２０４  番組再生部
３０２，３０４，３０６，３０８  番組用途情報
３０３，３０５，３０７，３０９  番組用途データ
３１０  情報抽出プログラム
５０１  携帯端末
５０３  携帯端末用情報
６０３  カーナビ用情報
７０３  ＡＶコンポ用情報
８０１  属性情報
【図１】
2006101023.tif 000003
【図２】
2006101023.tif 000004
【図３】
2006101023.tif 000005
【図４】
2006101023.tif 000006
【図５】
2006101023.tif 000007
【図６】
2006101023.tif 000008
【図７】
2006101023.tif 000009
【図８】
2006101023.tif 000010
【図９】
2006101023.tif 000011